(57)【要約】【課題】給湯器が発する振動音が室内側へと伝わりにくくした給湯器用配管カバーの設置構造の提供。【解決手段】給湯器１の下方に配置される配管系６を隠蔽すべく配管カバー１１を設置する際に、該配管カバー１１と給湯器１とを相互に螺合連結すべく配管カバー１１側に配設された雌ねじ部と、該雌ねじ部の内径よりもその縦幅を長寸化して給湯器１側に設けた連結用孔とを、相互の中心位置を合致させた状態のもとで配管カバー１１を給湯器１側に２カ所にて仮止めし、該仮止め状態のもとで外壁面１０３ａに配管カバー１１を位置固定し、位置固定された該配管カバー１１を仮止め状態を解除した上で給湯器１の連結用孔とは非接触となる外径を有する螺杆２２を用いて雌ねじ部１８に螺着して給湯器１側に対し浮かせた状態で設置した。【選択図】図１
0003123383.tif 000002
【実用新案登録請求の範囲】
【請求項１】
建物の外壁面側に位置固定された給湯器の下方に配置される配管系を隠蔽すべく配管カバーを設置する給湯器用配管カバーの設置構造において、
前記配管カバーは、該配管カバー側に配設された雌ねじ部と、該雌ねじ部の内径よりもその縦幅を長寸化して前記給湯器側に設けた連結用孔とを、相互の中心位置を合致させた状態のもとで前記外壁面側に位置固定させ、かつ、給湯器の前記連結用孔とは非接触となる外径を有する螺杆を前記雌ねじ部に螺着して前記給湯器側に対し浮かせた状態で位置固定したことを特徴とする給湯器用配管カバーの設置構造。
【請求項２】
前記配管カバーが備える前記雌ねじ部が袋ナットである請求項１に記載の給湯器用配管カバーの設置構造。
【請求項３】
前記螺杆は、ブッシュ材を介在させて螺着した請求項１または２に記載の
給湯器用配管カバーの設置構造。
【考案の詳細な説明】
【技術分野】
【０００１】
本考案は、給湯器が発する振動音を配管系を隠蔽するために設置される配管カバーを介して室内側へと伝えられにくくした給湯器用配管カバーの設置構造に関する技術である。
【背景技術】
【０００２】
給湯器は、蛇口からお湯を直に使用することができるように、水道配管と蛇口との間に設置され、蛇口をひねると同時にガスで水道水を加熱できる構造を備えて形成されている。
【０００３】
しかも、容量の大きな給湯器の場合には、外壁を利用して取り付けられる屋外タイプとして設置される例が多い。また、このようにして設置される屋外タイプの給湯器には、その下方に必要なガス配管や水道配管などの配管系が引き回されてそれぞれの管端が所定位置に各別に接続されることになる。
【０００４】
そして、給湯器の下方位置にて引き回される配管系は、通常、屋外に位置していることもあって埃を被らなくしたり見た目を良くしようとしたりする観点から、例えば下記特許文献１に開示されているような配管カバーで覆われて設置されている。
【特許文献１】登録第３０３４２２０号実用新案公報
【０００５】
この場合、配管カバーは、上記特許文献１の図８にも示されているように、給湯器側に直に連結して外壁側に位置固定されることになる。
【０００６】
一方、上記した給湯器が設置される集合住宅については、高層化される傾向が年々強まってきており、このような高層化が進めば進むほど軽量化の要請も強いものとなり、かかる要請のもとでＡＬＣパネルなどの軽量パネル材を用いて外壁が構築される例が多い。
【０００７】
また、高層化された集合住宅においては、通常、ベランダ側に位置する外壁を介して給湯器が強固に取り付けられており、該給湯器の配管系が配管カバーで覆われ得ることになる。
【考案の開示】
【考案が解決しようとする課題】
【０００８】
しかし、上記特許文献１に開示されているような連結構造のもとで給湯器と配管カバーとを高層化された集合住宅の外壁側に設置する場合には、給湯器が発する振動が直結されている配管カバーと断音性能に劣る外壁とを経て、屋内側へと伝わってしまい、静穏さが求められる居住環境を著しく損なってしまうという不都合があった。
【０００９】
本考案は、上記特許文献１を含む従来技術にみられた上記課題に鑑み、給湯器が発する振動音が室内側へと伝わりにくくした給湯器用配管カバーの設置構造を提供することに目的がある。
【課題を解決するための手段】
【００１０】
本考案は、上記目的を達成すべくなされたものであり、建物の外壁面側に位置固定された給湯器の下方に配置される配管系を隠蔽すべく配管カバーを設置する給湯器用配管カバーの設置構造において、
前記配管カバーは、該配管カバー側に配設された雌ねじ部と、該雌ねじ部の内径よりもその縦幅を長寸化して前記給湯器側に設けた連結用孔とを、相互の中心位置を合致させた状態のもとで前記外壁面側に位置固定させ、かつ、給湯器の前記連結用孔とは非接触となる外径を有する螺杆を前記雌ねじ部に螺着して前記給湯器側に対し浮かせた状態で位置固定したことを最も主要な特徴とする。
【００１１】
この場合、前記配管カバーが備える前記雌ねじ部は、袋ナットであるのが好ましい。また、前記螺杆は、ブッシュ材を介在させて螺着することもできる。
【考案の効果】
【００１２】
本考案によれば、給湯器の配管系を覆う配管カバーは、建物の外壁面側に強固に位置固定することはできるものの、給湯器側に対しては非接触状態のもとで浮かせて連結させることができるので、給湯器が発する振動音を配管カバーを介して外壁側に伝達することがないように設置して居住環境の静穏さ確保に有効に寄与させることができる。
【考案を実施するための最良の形態】
【００１３】
図１は、給湯器に配管カバーを設置した際の本考案の概要を例示する説明図であり、そのうちの（ａ）は右側面図を、（ｂ）は（ａ）に対応させた正面図をそれぞれ示す。また、図２〜図９は、配管カバーの設置プロセスを例示する説明図である。
【００１４】
これらの図によれば、建物１０１、特にＡＬＣパネルなどの軽量パネル材を用いて外壁１０３が構築されている高層集合住宅１０２においては、室外のベランダ等のスペースを利用して給湯器１が適宜の防振構造のもとで外壁面１０３ａに強固に位置固定されている。
【００１５】
しかも、給湯器１は、その前側に位置する底面３に垂設された左右一対の突片４，４を備えており、これら突片４に横方向を長さ方向とする長円形に形成された図１０に示す各連結用孔５を介して後述する配管カバー１１側と連結することができるようになっている。
【００１６】
このようにして外壁面１０３ａを利用して位置固定された給湯器１の下方には、ガス配管や水道配管を含む配管系６が配置されている。また、該配管系６は、雨仕舞いや美観確保の必要から配管カバー１１により覆われている。
【００１７】
この場合、配管カバー１１は、給湯器１側と外壁面１０３ａ側とに連結されるカバー本体部１２と、該カバー本体部１２の背側上面を覆う雨仕舞い部３２と、カバー本体部１２の前面を着脱自在に覆う図示しない前面覆い部とで構成されている。
【００１８】
このうち、カバー本体部１２は、給湯器１の左右に位置する外側板２と略同幅となって左右に配置される側板部１３と、給湯器１の横幅と略同長の離間距離を確保して配置される側板部１３，１３相互を連結する上側支杆部１６と下側支杆部２６とで支枠状を呈して形成されている。
【００１９】
カバー本体部１２における各側板部１３は、その上縁部を内側に略９０度折曲してなる平坦折返し部１３ａを有しており、該平坦折返し部１３ａ介して給湯器１の底面３側との間に例えば日東電工製の商品名「エプトシーラー」などのような適宜のシーリング材２８を配置することができるようになっている。
【００２０】
カバー本体部１２における上側支杆部１７は、各側板部１３の前側上角部を矩形状に切り欠いた切欠部１４を介して配置することができるように、断面略Ｌ字形を呈して形成されている。この場合、上側支杆部１７は、その起立片部１７ａを切欠部１４においてこれと対向する縦辺側に、水平辺部１７ｂを同じく横辺側に配置することで側板部１３，１３相互を連結している。なお、図中の符号２０は、カバー本体部１２の前面を覆う図示しない前面覆い部を取り付ける際に用いる舌片を示す。
【００２１】
しかも、上側支杆部１７にあってその設置時に給湯器１の各突片４の連結用孔５と奥側で対面する位置にある起立片部１７ａには、連結用孔５と向き合う側に開口１８ａを位置させた雌ネジ部１８としての袋ナット部１９が各別に配設されており、ボルト材などからなる螺杆２２をその一部を残して螺着することができるようになっている。
【００２２】
この場合における給湯器１側の突片４の連結用孔５と配管カバー１１側の袋ナット部１９とは、該袋ナット部１９の開口１８ａの円心位置と、該開口１８ａの内径よりも長寸な縦幅方向での連結用孔５の中心位置とを正対させた状態のもとで配管カバー１１を設置することができる配置関係となっている。
【００２３】
これを図１１（ａ）に示す専用治具との関係でより具体的に説明すれば、専用治具４２は、適宜外径の把持部４２ａと、該把持部ａの先端面から連結用孔５の縦幅よりやや小径となって突出させた芯出し部４２ｂと、該芯出し部４２ｂの先端面からその円心位置を同じくして袋ナット部１８と螺合する雄ねじ部４２ｃとで形成されている。なお、頂部に連結用孔５の縦幅より大径な頭部２２ａを有する螺杆２２は、専用治具４２の雄ねじ部４２ｃの外径と同じ外径の雄ねじ部２２ｂを有している。
【００２４】
このため、専用治具４２は、その芯出し部４２ｂを連結用孔５内に位置させた状態で雄ねじ部４２ｃを袋ナット部１９側に螺合させることで、袋ナット部１９の開口１８ａの円心位置と給湯器側１の連結用孔５の縦幅方向での中心位置とを正対させることができることになる。
【００２５】
また、カバー本体部１２における各側板部１３は、その設置時に外壁面１０３ａに当接する部位を内側に略直角に折曲した折返し部１５を備えており、これら折返し部１５の上下方向を長さ方向とする長円孔１５ａが各２カ所に形成されている。
【００２６】
さらに、カバー本体部１２における各側板部１３は、後部上側に同形状の切欠部１６が各別に形成されており、これらの切欠部１６を介してカバー本体部１２の背面上部を覆う雨仕舞い部３２を配置することができるようになっている。
【００２７】
次に、配管カバーの設置プロセスにつき、図２〜図９に従い以下に説明する。この場合、配管カバー１１は、高層集合住宅１０２において例えばＡＬＣパネルなどの軽量パネル材を用いて構築された外壁１０３の外壁面１０３ａ側に強固に位置固定されている給湯器１がその下方に備えている配管系６を隠蔽すべく設置される。この際における配管カバー１１は、次のプロセスを経ることで設置されている。
【００２８】
既設の給湯器１に対し図１に示すように配管カバー１１を設置するに際しては、まず、図２〜図４に示すようにカバー本体部１２の各側板部１３に設けた平坦折返し部１３ａ上と、雨仕舞い部３２の上端縁上とにシーリング材２８を各別に配置した上で、雨仕舞い部３２を図５に示すようにカバー本体部１２の背側上面側に取り付ける。
【００２９】
このようにしてカバー本体部１２に雨仕舞い部３２を取り付けた後は、図６に示すように、給湯器１に対となって設けられている各突片４の連結用孔５の縦幅方向での中心位置と、カバー本体部１２における上側支杆部１７が備える雌ネジ部１８としての袋ナット部１９の開口１８ａの円心位置とを、専用治具４２を用いて合致させながら給湯器１側に仮止めする。
【００３０】
この際における各突片４の連結用孔５と袋ナット部１９と専用治具４２とは、図１１（ａ）に示す配置関係となる。つまり、専用治具４２は、その芯出し部４２ｂが突片４の連結用孔５の縦幅いっぱいに配置され、かつ、その雄ねじ部４２ｃが袋ナット部１９と螺合することで、連結用孔５の縦幅方向での中心位置と袋ナット部１９の開口１８ａの円心位置とを合致させた状態のもとで配管カバー１１側が給湯器１側に２カ所にて仮止めされることになる。
【００３１】
このようにして配管カバー１１側を給湯器１側に仮止めした後は、図７および図８に８示すように各側板部１３に設けた折返し部１５が備える長円孔１５ａを介して外壁１０３の外壁面１０３ａへと配管カバー１１をビス２３で位置固定する工程処理が行われる。なお、この際には、雨仕舞い部３２も外壁１０３の外壁面１０３ａへとビス２３で位置固定されることになる。
【００３２】
かくして、配管カバー１１と雨仕舞い部３２とを外壁面１０３ａに位置固定した後は、給湯器１側に配管カバー１１側を仮止めしている専用治具４２の螺合状態を解除して取り外した状態のもとで、図９に示すように螺杆２２を給湯器１側の連結用孔５を経て配管カバー１１側の袋ナット１９側へと螺合させて位置固定する。
【００３３】
この場合、連結用孔５には、あらかじめ螺杆２２の雄ネジ部２２ｂの外径よりもやや大径な通孔２４ａを有する防振丸ゴムなどからなるブッシュ材２４が装着されており、該ブッシュ材２４の通孔２４ａを経て螺杆２２の雄ねじ部２２ｂが袋ナット１９と螺合されることになる。
【００３４】
したがって、螺杆２２は、給湯器１の連結用孔５とは非接触となった状態のもとで配管カバー１１側と連結されることになる。つまり、配管カバー１１側は、給湯器１側に対し浮かせた状態で位置固定されることになる。なお、螺杆２２の頭部２２ａは、その外径が連結用孔５の縦幅よりも大径に形成されているので、配管カバー１１側に何らかの強い外力が加えられた際においても螺杆２２側が連結用孔５側から離脱することはない。
【００３５】
このため、本考案によれば、給湯器１の配管系６を覆う配管カバー１１は、高層集合住宅１０２の外壁面１０３ａ側に強固に位置固定することはできるものの、給湯器１側に対しては図１０および図１１（ｂ）に示すように非接触状態のもとで浮かせて連結させることができるので、給湯器１が発する振動音を配管カバー１１を介して外壁１０３側に伝達することがないように設置して居住環境の静穏さ確保に有効に寄与させることができる。
【００３６】
以上は、本考案を図示例に基づいて説明したものであり、その具体的な内容は、本考案の要旨を逸脱しない限り、種々の変形を加えることができる。例えば、配管カバー１１側には、上側支杆部１７と一体となった袋ナット１９を設けずに、単に螺孔を形成したり、開口１８ａとは別にナット材を配置して雌ネジ部１８として螺杆２２と螺合させることができるようにしてもよい。また、連結用孔５には、ブッシュ材２４を装着させなくてもよい。さらに、シーリング材２８は、所望によりその配置を省略することもできる。さらにまた、本考案は、高層集合住宅に適用することができるばかりでなく、必要によりその他の一般住宅を含む種々の建物に適用することもできる。
【図面の簡単な説明】
【００３７】
【図１】給湯器に配管カバーを設置した状態の概要を例示する説明図であり、そのうちの（ａ）は右側面図を、（ｂ）は（ａ）に対応させた正面図をそれぞれ示す。
【図２】配管カバーと雨仕舞い部との配置関係を示す斜視図。
【図３】配管カバーと雨仕舞い部とシーリング材との配置関係を示す斜視図。
【図４】配管カバーと雨仕舞い部とにシーリング材を配置した状態を示す斜視図。
【図５】配管カバーに雨仕舞い部を配置した状態を示す斜視図。
【図６】配管カバーを給湯器側に仮止めした状態を示す斜視図。
【図７】配管カバーを外壁面に位置固定する際の仮止め状態を示す斜視図。
【図８】配管カバーを外壁面に位置固定した後の仮止め状態解除の様子を示す斜視図。
【図９】配管カバーを給湯器側に螺杆を介して連結する際の状態を示す斜視図。
【図１０】配管カバーの設置を終えた状態を示す要部拡大説明図。
【図１１】配管カバーの給湯器側への取付けプロセスを示す説明図であり、そのうちの（ａ）は専用治具を用いた仮止め時における外壁面に位置固定した際の状態を、（ｂ）は螺杆を用いて取り付けた際の配管カバー側と給湯器側との配置状態をそれぞれ示す。
【符号の説明】
【００３８】
１  給湯器
２  外側板
３  底面
４  突片
５  連結用孔
６  配管系
１１  配管カバー
１２  カバー本体部
１３  側板部
１３ａ  平坦折返し部
１４  切欠部
１５  折返し部
１５ａ  長円孔
１６  切欠部
１７  上側支杆部
１７ａ  起立片部
１７ｂ  水平片部
１８  雄ねじ部
１８ａ  開口
１９  袋ナット
２０  舌片
２２  螺杆
２２ａ  頭部
２２ｂ  雄ねじ部
２３  ビス
２４  ブッシュ材
２４ａ  通孔
２６  下側支杆部
２８  シーリング材
３２  雨仕舞い部
４２  専用治具
４２ａ  把持部
４２ｂ  芯出し部
４２ｃ  雄ねじ部
１０１  建物
１０２  高層集合住宅
１０３  外壁
１０３ａ  外壁面
【図１】
0003123383.tif 000003
【図２】
0003123383.tif 000004
【図３】
0003123383.tif 000005
【図４】
0003123383.tif 000006
【図５】
0003123383.tif 000007
【図６】
0003123383.tif 000008
【図７】
0003123383.tif 000009
【図８】
0003123383.tif 000010
【図９】
0003123383.tif 000011
【図１０】
0003123383.tif 000012
【図１１】
0003123383.tif 000013